(57)【特許請求の範囲】
【請求項１】
画像を形成した用紙を排紙する排紙部と、前記排紙部の用紙排紙方向上流側縁部に沿って設定された移動範囲内を移動可能に構成され、前記排紙部に排紙された前記用紙にステープルを施すステープル手段と、前記ステープル手段に対し、前記用紙のステープル位置を、前記画像を印刷するための命令である印刷コマンドデータに含めて指示するステープル位置指示手段と、前記ステープル手段に対し、ステープル指示を与えるステープル指示手段と、を備えた画像形成装置において、
前記ステープル位置指示手段で指示された前記ステープル位置が、前記ステープル手段の前記移動範囲内であるか否かを判断し、前記移動範囲内でないと判断された場合に、前記ステープル指示を前記印刷コマンドデータから削除するステープル指示削除手段
を備えたことを特徴とする画像形成装置。
【請求項２】
用紙にステープルを施す旨を示すステープル指示を含む、画像を印刷するための命令である印刷コマンドデータに基づいて、画像を形成する画像形成手段と、前記画像を形成した用紙を排紙する排紙部と、前記排紙部の用紙排紙方向上流側縁部に沿って設定された移動範囲内を移動可能に構成され、前記排紙部に排紙された前記用紙に前記ステープル指示に基づきステープルを施すステープル手段と、を備えた画像形成装置において、
前記ステープル指示に含まれるステープル位置が、前記ステープル手段の前記移動範囲内であるか否かを判断し、前記移動範囲内でないと判断された場合に、前記印刷コマンドデータから前記ステープル指示のみを削除するステープル指示削除手段
を備えたことを特徴とする画像形成装置。
【請求項３】
前記ステープル指示削除手段は、さらに前記ステープル位置が、前記ステープル手段の前記移動範囲内であるか否かの判断を少なくとも、印刷方向、ステープル位置、ステープルパターン、紙サイズの情報に基づいて行うこと
を特徴とする請求項１または２に記載の画像形成装置。
【請求項４】
前記ステープル指示削除手段は、さらに両面に画像が形成された用紙にステープルを施す場合に、当該用紙に適したステープル位置と前記ステープル位置指示手段で指示されたステープル位置とが矛盾するとき、前記ステープル指示を削除すること
を特徴とする請求項１〜３のいずれか一つに記載の画像形成装置。
【請求項５】
前記ステープル位置が前記移動範囲内でない場合に、画像を回転させることにより、前記ステープル位置を前記移動範囲内とする画像回転手段
をさらに備えたことを特徴とする請求項１〜４のいずれか一つに記載の画像形成装置。
【請求項６】
画像を形成した用紙を排紙する排紙部と、前記排紙部の用紙排紙方向上流側縁部に沿って設定された移動範囲内を移動可能に構成され、前記排紙部に排紙された前記用紙にパンチを施すパンチ手段と、前記パンチ手段に対し、前記用紙のパンチ位置を、前記画像を印刷するための命令である印刷コマンドデータに含めて指示するパンチ位置指示手段と、前記パンチ手段に対し、パンチ指示を与えるパンチ指示手段と、を備えた画像形成装置において、
前記パンチ位置指示手段で指定された前記パンチ位置が、前記パンチ手段の前記移動範囲内であるか否かを判断し、前記移動範囲内でないと判断された場合、前記パンチ指示を削除するパンチ指示削除手段
を備えたことを特徴とする画像形成装置。
【請求項７】
用紙にパンチを施す旨を示すパンチ指示を含む、画像を印刷するための命令である印刷コマンドデータに基づいて、画像を形成する画像形成手段と、前記画像を形成した用紙を排紙する排紙部と、前記排紙部の用紙排紙方向上流側縁部に沿って設定された移動範囲内を移動可能に構成され、前記排紙部に排紙された前記用紙に前記パンチ指示に基づきパンチを施すパンチ手段と、を備えた画像形成装置において、
前記パンチ指示に含まれるパンチ位置が、前記パンチ手段の前記移動範囲内であるか否かを判断し、前記移動範囲内でないと判断された場合に、前記印刷コマンドデータから前記パンチ指示のみを削除するパンチ指示削除手段
を備えたことを特徴とする画像形成装置。
【請求項８】
前記パンチ指示削除手段は、さらに前記パンチ位置が、前記パンチ手段の前記移動範囲内であるか否かの判断を少なくとも、印刷方向、パンチ位置、パンチパターン、紙サイズの情報に基づいて行うこと
を特徴とする請求項６または７に記載の画像形成装置。
【請求項９】
前記パンチ指示削除手段は、さらに両面に画像が形成された用紙にパンチを施す場合に、当該用紙に適したパンチ位置と前記パンチ位置指示手段で指示されたパンチ位置とが矛盾するとき、前記パンチ指示を削除すること
を特徴とする請求項６〜８のいずれか一つに記載の画像形成装置。
【請求項１０】
前記パンチ位置が前記移動範囲内でない場合に、画像を回転させることにより、前記パンチ位置を前記移動範囲内とする画像回転手段
をさらに備えたことを特徴とする請求項６〜９のいずれか一つに記載の画像形成装置。
【請求項１１】
請求項１〜５のいずれか一つの画像形成装置と、請求項６〜１０のいずれか一つの画像形成装置と、を組み合わせた画像形成装置であって、前記ステープル指示と前記パンチ指示とが指示された場合に、前記パンチ位置指示手段で指示された前記パンチ位置が、前記パンチ手段の前記移動範囲内でないとき、または、前記ステープル位置に対する前記パンチ位置が適当でないとき、前記パンチ指示を削除するパンチ指示不適当削除手段
を備えたことを特徴とする画像形成装置。
【発明の詳細な説明】
【０００１】
【発明の属する技術分野】
この発明は、画像形成装置に関し、更に詳しくは、ステープルまたはパンチを適切に施し、作業効率を向上できる画像形成装置に関する。
【０００２】
【従来の技術】
図８は、従来のフィニッシャ機能を有する画像形成装置の構成を示すブロック図である。この画像形成装置５００は、画像形成部５０１とフィニッシャ部２とから構成されている。画像形成部５０１は、画像形成装置５００を制御する制御部５１１と、ホストコンピュータＣから送られてきた印刷コマンドデータを解釈し、画像データとして展開する画像作成部１２と、展開した画像データを用紙に写す作像部１３とから構成される。フィニッシャ部２は、画像を写した用紙を排紙する排紙トレイ２１と、排紙した用紙にステープルを施すステープル部２２と、排紙した用紙にパンチを施すパンチ部２３とから構成される。
【０００３】
まず、画像作成部１２は、受け取った印刷コマンドデータを解釈して、画像データに展開する。この画像データは作像部１３によって用紙に写され、画像が写された用紙は排紙トレイ２１に排紙される。つぎに、フィニッシャ部２は、印刷コマンドデータに含まれているステープル指示に基づき、前記排紙された用紙にステープルを施す。パンチ指示がされている場合は、用紙にパンチを施す。
【０００４】
図９は、図８で示したフィニッシャ部２の構造を示す概略説明図である。符号２０はステープル・パンチユニットであり、排紙トレイ２１の根元縁部に沿って移動可能に設けられている。また、ユーザＵの手前では、単曲線を描いて移動可能となる（ステープル・パンチユニットの移動範囲Ｍ）。
【０００５】
このステープル・パンチユニット２０によれば、図１０に示すように、用紙Ｐの端辺Ｐ１に平行に，左端部Ｐ２に斜めに（ユーザＵからみて用紙の右端辺に平行に，手前右端部に斜めに）、ステープルＳまたはパンチＨを施すことができる。
【０００６】
図１１に、ホストコンピュータＣの画面上Ｄに表示される、一般的なステープル指示、パンチ指示のボックスＢを示す。このボックスＢには、ステープルを施す位置が示されており、具体的には、用紙の「右横」、「左横」、「右上」、「左上」、「右下」、「左下」が表示されている。また、ステープルパターンとして「水平」、「垂直」、「斜め」、「２つ」が表示される。ユーザＵは、このボックスＢの中のメニューを選択して、ステープル位置およびステープルパターンを決定する。また、パンチの場合も略同様にして決定するものとする。
【０００７】
【発明が解決しようとする課題】
さて、ステープルまたはパンチのパターンは、普通、図１２に示すような種々のものが考えられる。同図の（ａ）はステープルのパターンを示し、（ｂ）はパンチのパターンを示す。このような全ての位置にステープルまたはパンチを施すことは、排紙した用紙Ｐの全周にステープル・パンチユニット２０を移動させるようにすれば、可能である。ところが、従来、ステープル・パンチユニット２０を図９のように移動せしめているのは、用紙Ｐの全周に移動し得る構成にすると、フィニッシャ部２が複雑化，大型化し、コストが高くなるためである。
【０００８】
従って、従来の画像形成装置５００において、ステープルまたはパンチは、図１０に示す位置においてのみ施すことができる。反対に、それ以外の部分においてのステープルまたはパンチは、物理的に不可能となる。このため、実際にステープルまたはパンチを施せる位置には限りがあるという問題が生じる。
【０００９】
一方、ネットワーク環境で印刷を行う場合には、ユーザＵが画像形成装置５００の近傍に居ることは少ない。このため、給紙トレイに用紙が縦方向にセットされているか、横方向にセットされているか判らないことが多い。このため、図１３に例示するように、「右横２つ」とステープル指示した場合において、用紙Ｐを横方向に排紙するときにはステープル・パンチユニット２０の移動範囲Ｍ内であるためステープル可能であるが（図１３の（ａ））、用紙Ｐを縦方向に排紙するときには前記移動範囲Ｍ外ゆえステープルすることができない（図１３の（ｂ））という不具合が生じる。通常、このような場合には、印刷コマンドデータをエラーとして印刷動作をストップするが、それゆえ印刷作業の効率が悪化するという問題が生じる。この問題は、パンチを施す場合でも同様である。
【００１０】
そこで、この発明は、上記に鑑みてなされたものであって、ステープルまたはパンチを適切に施し、作業効率を向上させることができる画像形成装置を提供することを目的とする。
【００１１】
【課題を解決するための手段】
上述の目的を達成するために、請求項１に係る画像形成装置は、画像を形成した用紙を排紙する排紙部と、前記排紙部の用紙排紙方向上流側縁部に沿って設定された移動範囲内を移動可能に構成され、前記排紙部に排紙された前記用紙にステープルを施すステープル手段と、前記ステープル手段に対し、前記用紙のステープル位置を、前記画像を印刷するための命令である印刷コマンドデータに含めて指示するステープル位置指示手段と、前記ステープル手段に対し、ステープル指示を与えるステープル指示手段と、を備えた画像形成装置において、前記ステープル位置指示手段で指定された前記ステープル位置が、前記ステープル手段の前記移動範囲内であるか否かを判断し、前記移動範囲内でないと判断された場合に、前記ステープル指示を前記印刷コマンドデータから削除するステープル指示削除手段を備えたものである。
【００１２】
排紙部に対する特定位置、例えば排紙部の根元縁部に沿ってステープル手段が位置する場合、それ以外の位置にてステープル指示されても実際にはステープルを施すことはできない。また、排紙方向によってはステープルできない場合ある。そこで、そのようなステープル指示は削除して、印刷処理を進めることにした。このため、作業効率が向上する。
【００１３】
また、請求項２に係る画像形成装置は、用紙にステープルを施す旨を示すステープル指示を含む、画像を印刷するための命令である印刷コマンドデータに基づいて、画像を形成する画像形成手段と、前記画像を形成した用紙を排紙する排紙部と、前記排紙部の用紙排紙方向上流側縁部に沿って設定された移動範囲内を移動可能に構成され、前記排紙部に排紙された前記用紙に前記ステープル指示に基づきステープルを施すステープル手段と、を備えた画像形成装置において、前記ステープル指示に含まれるステープル位置が、前記ステープル手段の前記移動範囲内であるか否かを判断し、前記移動範囲内でないと判断された場合に、前記印刷コマンドデータから前記ステープル指示のみを削除するステープル指示削除手段を備えたものである。
【００１４】
ホストコンピュータから送られてくる印刷指示にステープル指示が含まれていても、ステープル手段の物理的な位置関係から実際にステープルできないときがある。そのようなときは印刷指示が受け付けられず、印刷がストップすることがある。そこで、そのようなステープル指示のみを印刷指示の中から削除するようにした。このため、印刷指示が適正化されて、ステープルをしない状態で印刷を続行できるようになり、作業効率が向上する。
【００１５】
また、請求項３に係る画像形成装置は、請求項１または２に記載の画像形成装置において、前記ステープル指示削除手段は、さらに前記ステープル位置が、前記ステープル手段の前記移動範囲内であるか否かの判断を少なくとも、印刷方向、ステープル位置、ステープルパターン、紙サイズの情報に基づいて行うものである。
【００１６】
実際にステープルできるか否かは、印刷方向、ステープル位置などの情報から判断する。例えば、ステープル位置が前記特定位置以外となっている場合、実際にステープルできなと判断して、ステープル指示を削除する。また、このような判断要素を増やしていけば、ステープルの可否をより詳細に判断できる。
【００１７】
また、請求項４に係る画像形成装置は、請求項１〜３のいずれか一つに記載の画像形成装置において、前記ステープル指示削除手段は、さらに両面に画像が形成された用紙にステープルを施す場合に、当該用紙に適したステープル位置と前記ステープル位置指示手段で指示されたステープル位置とが矛盾するとき、前記ステープル指示を削除するものである。
【００１８】
用紙に適したステープル位置と指示されたステープル位置とが矛盾する場合とは、例えば、縦書きの両面印刷において文章を右から左に読むときは、用紙の右側にステープルを施すべきであるが、それにもかかわらず、用紙の左側にステープル指示をしている場合である。係る場合は、実際にステープルを施すことができるか否かにかかわらず、ステープル指示を削除する。このようにすれば、ステープルを適切に施すことができる。また、ステープルミスがなくなり、作業効率が向上する。
【００１９】
また、請求項５に係る画像形成装置は、請求項１〜４のいずれか一つに記載の画像形成装置において、前記ステープル位置が前記移動範囲内でない場合に、画像を回転させることにより、前記ステープル位置を前記移動範囲内とする画像回転手段をさらに備えたものである。
【００２０】
ステープル手段を物理的に移動させるのは困難であるが、画像を回転させて印刷すれば、事実上、ステープル手段を移動させたのと同等の効果が得られる。例えば用紙上にて画像を上下逆さまに印刷すれば、用紙（画像）の上部がステープル可能な位置になる。このようにすれば、ステープル手段の移動を伴わず、用紙の多くの位置にステープルを施すことができるようになる。また、ステープル手段を機械的に移動せしめるよりも、短時間でステープルを施せるので、作業効率が向上する。
【００２１】
また、請求項６に係る画像形成装置は、画像を形成した用紙を排紙する排紙部と、前記排紙部の用紙排紙方向上流側縁部に沿って設定された移動範囲内を移動可能に構成され、前記排紙部に排紙された前記用紙にパンチを施すパンチ手段と、前記パンチ手段に対し、前記用紙のパンチ位置を、前記画像を印刷するための命令である印刷コマンドデータに含めて指示するパンチ位置指示手段と、前記パンチ手段に対し、パンチ指示を与えるパンチ指示手段と、を備えた画像形成装置において、前記パンチ位置指示手段で指定された前記パンチ位置が、前記パンチ手段の前記移動範囲内であるか否かを判断し、前記移動範囲内でないと判断された場合、前記パンチ指示を削除するパンチ指示削除手段を備えたものである。
【００２２】
排紙部に対する特定位置、例えば排紙部の根元縁部に沿ってパンチ手段が位置する場合、それ以外の位置にてパンチ指示されても実際にはパンチを施すことはできない。また、用紙の排紙方向によってはパンチできない場合ある。そこで、そのようなパンチ指示は削除して、印刷処理を進めることにした。このため、作業効率が向上する。
【００２３】
また、請求項７に係る画像形成装置は、用紙にパンチを施す旨を示すパンチ指示を含む、画像を印刷するための命令である印刷コマンドデータに基づいて、画像を形成する画像形成手段と、前記画像を形成した用紙を排紙する排紙部と、前記排紙部の用紙排紙方向上流側縁部に沿って設定された移動範囲内を移動可能に構成され、前記排紙部に排紙された前記用紙に前記パンチ指示に基づきパンチを施すパンチ手段と、を備えた画像形成装置において、前記パンチ指示に含まれるパンチ位置が、前記パンチ手段の前記移動範囲内であるか否かを判断し、前記移動範囲内でないと判断された場合に、前記印刷コマンドデータから前記パンチ指示のみを削除するパンチ指示削除手段を備えたものである。
【００２４】
ホストコンピュータから送られてくる印刷指示にパンチ指示が含まれていても、パンチ手段の位置との関係から実際にパンチできないときがある。そのようなときは印刷指示が受け付けられず、印刷がストップすることがある。そこで、そのようなパンチ指示のみを印刷指示の中から削除するようにした。このため、印刷指示が適正化されて、パンチをしない状態で印刷を続行できるようになり、作業効率が向上する。
【００２５】
また、請求項８に係る画像形成装置は、請求項６または７に記載の画像形成装置において、前記パンチ指示削除手段は、さらに前記パンチ位置が、前記パンチ手段の前記移動範囲内であるか否かの判断を少なくとも、印刷方向、パンチ位置、パンチパターン、紙サイズの情報に基づいて行うものである。
【００２６】
実際にパンチできるか否かは、印刷方向、パンチ位置などの情報から判断する。例えば、パンチ位置が前記特定位置以外となっている場合、実際にパンチできなと判断して、パンチ指示を削除する。また、このような判断要素を増やしていけば、パンチ指示の可否をより詳細に判断できる。
【００２７】
また、請求項９に係る画像形成装置は、請求項６〜８のいずれか一つに記載の画像形成装置において、前記パンチ指示削除手段は、さらに両面に画像が形成された用紙にパンチを施す場合に、当該用紙に適したパンチ位置と前記パンチ位置指示手段で指示したパンチ位置とが矛盾するとき、前記パンチ指示を削除するものである。
【００２８】
用紙に適したパンチ位置と指示されたパンチ位置とが矛盾する場合とは、例えば縦書きの両面印刷において文章を右から左に読むときは、用紙の右側にパンチを施すべきであるが、それにもかかわらず、用紙の左側にパンチ指示をしている場合である。係る場合は、実際にパンチを施すことができるか否かにかかわらず、パンチ指示を削除する。このようにすれば、パンチを適切に施すことができる。また、パンチミスがなくなり、作業効率が向上する。特に、不適切なパンチを施すと、用紙にステープルよりも大きい欠損を与えることになるが、そのような不適切なパンチを防止すれば、用紙の無駄を防止できるようになる。
【００２９】
また、請求項１０に係る画像形成装置は、請求項６〜９のいずれか一つに記載の画像形成装置において、前記パンチ位置が前記移動範囲内でない場合に、画像を回転させることにより、前記パンチ位置を前記移動範囲内とする画像回転手段をさらに備えたものである。
【００３０】
パンチ手段を物理的に移動させるのは困難であるが、画像を回転させて印刷すれば、事実上、パンチ手段を移動させたのと同等になる。例えば用紙上にて画像を上下逆さまに印刷すれば、用紙（画像）の上部がパンチ可能な位置になるような場合である。このようにすれば、パンチ手段の移動を伴わず、用紙の多くの位置にパンチを施すことができるようになる。また、パンチ手段を機械的に移動せしめるよりも、短時間でパンチを施せるので、作業効率が向上する。
【００３１】
また、請求項１１に係る画像形成装置は、請求項１〜５のいずれか一つの画像形成装置と、請求項６〜１０のいずれか一つの画像形成装置と、を組み合わせた画像形成装置であって、前記ステープル指示と前記パンチ指示とが指示された場合に、前記パンチ位置指示手段で指示された前記パンチ位置が、前記パンチ手段の前記移動範囲内でないとき、または、前記ステープル位置に対する前記パンチ位置が適当でないとき、前記パンチ指示を削除するパンチ指示不適当削除手段を備えたものである。
【００３２】
すなわち、ステープル指示とパンチ指示とが同時にされた場合であって、例えばステープル指示が用紙の上部にされているにもかかわらず、パンチ指示が用紙の下部にされているようなとき、一般的にそのようなパンチ指示は適当でないといえる。そこで、係る不適当なパンチ指示を削除することで、適切なステープルおよびパンチを施すようにしたものである。
【００３３】
【発明の実施の形態】
以下、この発明につき図面を参照しつつ詳細に説明する。なお、この実施の形態によりこの発明が限定されるものではない。
【００３４】
図１は、この発明の画像形成装置の構成を示すブロック図である。この画像形成装置１００は、画像形成部１とフィニッシャ部２とから構成されている。画像形成部１は、画像形成装置１００を制御する制御部１１と、ホストコンピュータＣから送られてきた印刷コマンドデータを解釈し、画像データとして展開する画像作成部１２と、展開した画像データを用紙に写す作像部１３とから構成される。
【００３５】
また、制御部１１は、印刷コマンドデータに含まれるステープル指示によってはステープルが不可能である場合にそのステープル指示を削除するステープル指示削除部１１１と、印刷コマンドデータに含まれるパンチ指示によってはパンチが不可能である場合にそのパンチ指示を削除するパンチ指示削除部１１２と、画像作成部１２において展開した画像を１８０°回転させた状態で用紙に写す画像回転部１１３とを備えている。なお、ステープルまたはパンチの可否についての判断基準については後述する。
【００３６】
フィニッシャ部２は、画像を写した用紙を排紙する排紙トレイ２１と、排紙した用紙にステープルを施すステープル部２２と、排紙した用紙にパンチを施すパンチ部２３とから構成される。
【００３７】
フィニッシャ部２の機械的構造は、図９に示す通りであるので同図を参照することとし、ここでは図示を省略する。ステープル・パンチユニット２０（２２，２３）は、排紙トレイ２１の根元縁部に沿って移動可能に設けられており、ユーザＵの手前では、単曲線を描いて移動可能となる（ステープル・パンチユニットの移動範囲Ｍ：請求項における特定位置）。このステープル・パンチユニット２０によれば、用紙Ｐの端辺Ｐ１に平行に，左端部Ｐ２に斜めに（ユーザＵからみて用紙の右端辺に平行に，手前右端部に斜めに）、ステープルまたはパンチを施すことができる（図１０参照：請求項におけるステープル位置）。
【００３８】
図２は、図１に示した画像形成装置の動作を示すフローチャートである。また、図３から図６は、ステープルまたはパンチの可否についての判断基準を示す図表である。
【００３９】
ステップＳ２０１では、ホストコンピュータＣのプリンタドライバが、印刷設定情報と文書情報とに基づいて印刷コマンドデータを生成する。この印刷コマンドデータには、印刷方向（ポートレイト／ランドスケイプ）、用紙サイズ、両面印刷（綴じ方向を含む）、ステープル指示、ステープル位置、ステープルパターン、パンチ指示、パンチ位置、パンチパターンなどが含まれる。印刷コマンドデータは、インタフェースを介して画像形成装置１００に転送される。ステップＳ２０２では、画像作成部１２が、印刷コマンドデータを解釈して、画像データとしてＲＡＭ上に展開する。
【００４０】
ステップＳ２０３では、ステープルまたはパンチの可否を判断する。また、ステープルまたはパンチが印刷内容に照らし、矛盾しているか否かを判断する。さらに、ステープル指示とパンチ指示とが同時にされた場合に、ステープル指示に対してパンチ指示が適当であるか否かを判断する。
【００４１】
ステップＳ２０４では、ステープルまたはパンチが不可能であっても、画像を逆さまに写して排紙することでステープルまたはパンチが可能になる場合には、ＲＡＭ上に展開した画像を１８０度回転させて印刷し排紙する。この画像の回転は画像回転部１１３が行う。
【００４２】
判断の結果、ステープルまたはパンチが不可能であるときには、印刷コマンドデータからステープル指示またはパンチ指示を削除する（ステップ２０５）。ステープル指示の削除はステープル指示削除部１１１が行い、パンチ指示の削除はパンチ指示削除部１１２が行う。
【００４３】
ここで、ステップＳ２０３およびステップＳ２０４におけるステープルまたはパンチの可否判断について図３〜図６を参照し説明する。判断要素となるのは、用紙方向、用紙サイズ、ステープル位置、ステープルパターン、パンチ位置、パンチパターン、両面印刷か否か（綴じ方向を含む）である。なお、用紙Ｐの排紙方向（排紙されたときの用紙の向き）は、給紙トレイ（図示省略）への用紙セット方向により決まる。
【００４４】
図３〜図６の下欄（パラメータ表示欄）は、通常考え得る用紙のステープル位置およびパンチ位置を示し、この下欄内の符号はステープル位置およびパンチ位置のパラメータであり、具体的には図７のように割り付けられている。同図の（ａ）がステープルのパラメータ（０〜１５：２、６、１０、１４は２つ綴じ）、（ｂ）がパンチのパラメータ（０〜３）となる。
【００４５】
図３は、用紙Ｐを縦方向に用い、用紙Ｐの短辺がステープル・パンチユニット２０の移動範囲Ｍに入る場合である。図４は、用紙Ｐを横方向に用い、用紙Ｐの短辺がステープル・パンチユニット２０の移動範囲Ｍに入る場合である。図５は、用紙Ｐを縦方向に用い、用紙Ｐの長辺がステープル・パンチユニット２０の移動範囲Ｍに入る場合である。図６は、用紙Ｐを横方向に用い、用紙Ｐの長辺がステープル・パンチユニット２０の移動範囲Ｍに入る場合である。
【００４６】
〔ステープル指示の削除〕
図３の（ａ）は、ステープル指示を「左上斜め」とした場合である。この場合は、ステープル・パンチユニット２０の移動範囲外となるから、ステープルすることができない。また、画像を１８０°反転した場合でも、ステープルすることができない。このため、ステープル指示を削除する。さらに、両面印刷で右綴じすべきである場合（文庫本などと同様）に、「左上斜め」のステープル指示は矛盾した指示となるので、矛盾削除する（なお、矛盾削除であっても前記削除と同効果を奏するが、ここでは説明上そう表す）。また、Ａ３Ｒ、Ｂ４Ｒなどの所定用紙サイズ以外の場合にも、ステープル指示を削除する。
【００４７】
図３の（ｂ）は、ステープル指示を「右上斜め」とした場合である。この場合は、ステープル・パンチユニット２０の移動範囲外であるが、画像を１８０°反転すれば、ステープルすることができる。従って、画像を１８０°回転して用紙Ｐに写し、排紙する。一方、両面印刷で左綴じすべきである場合（辞書などと同様）に、「右上斜め」のステープル指示は矛盾した指示となるので、矛盾削除する。また、Ａ３Ｒ、Ｂ４Ｒなどの所定用紙サイズ以外の場合にも、ステープル指示を削除する。
【００４８】
図３の（ｃ）は、ステープル指示を「左横２つ」とした場合である。この場合は、ステープル・パンチユニット２０の移動範囲外となるから、ステープルすることができない。また、画像を１８０°反転した場合でも、ステープルすることができない。このため、ステープル指示を削除する。さらに、両面印刷で上綴じおよび右綴じすべきである場合に、「左横２つ」のステープル指示は矛盾した指示となるので、矛盾削除する。また、Ａ３Ｒ、Ｂ４Ｒなどの所定用紙サイズ以外の場合にも、ステープル指示を削除する。
【００４９】
図３の（ｄ）は、ステープル指示を「上２つ」とした場合である。この場合は、ステープル・パンチユニット２０の移動範囲外であるが、画像を１８０°反転すれば、ステープルすることができる。従って、画像を１８０°回転して用紙Ｐに写し、排紙する。一方、両面印刷で左綴じおよび右綴じすべきである場合に、「上２つ」のステープル指示は矛盾した指示となるので、矛盾削除する。また、Ａ３Ｒ、Ｂ４Ｒなどの所定用紙サイズ以外の場合にも、ステープル指示を削除する。
【００５０】
図３の（ｅ）は、ステープル指示を「右横２つ」とした場合である。この場合は、ステープル・パンチユニット２０の移動範囲外となるから、ステープルすることができない。また、画像を１８０°反転した場合でも、ステープルすることができない。このため、ステープル指示を削除する。さらに、両面印刷で上綴じおよび左綴じすべきである場合に、「右横２つ」のステープル指示は矛盾した指示となるので、矛盾削除する。また、Ａ３Ｒ、Ｂ４Ｒなどの所定用紙サイズ以外の場合にも、ステープル指示を削除する。
【００５１】
図３の（ｆ）は、ステープル指示を「左上水平」とした場合である。この場合は、ステープル・パンチユニット２０の移動範囲外であるが、画像を１８０°反転すれば、ステープルすることができる。従って、画像を１８０°回転して用紙Ｐに写し、排紙する。一方、両面印刷で右綴じすべきである場合に、「左上水平」のステープル指示は矛盾した指示となるので、矛盾削除する。また、Ａ３Ｒ、Ｂ４Ｒなどの所定用紙サイズ以外の場合にも、ステープル指示を削除する。
【００５２】
図３の（ｇ）は、ステープル指示を「右上水平」とした場合である。この場合は、ステープル・パンチユニット２０の移動範囲外であるが、画像を１８０°反転すれば、ステープルすることができる。従って、画像を１８０°回転して用紙Ｐに写し、排紙する。一方、両面印刷で左綴じすべきである場合に、「右上水平」のステープル指示は矛盾した指示となるので、矛盾削除する。また、Ａ３Ｒ、Ｂ４Ｒなどの所定用紙サイズ以外の場合にも、ステープル指示を削除する。
【００５３】
図４の（ａ）は、ステープル指示を「左上斜め」とした場合である。この場合は、ステープル・パンチユニット２０の移動範囲Ｍ内であるから、ステープルすることができる。一方、両面印刷で右綴じすべきである場合に、「左上斜め」のステープル指示は矛盾した指示となるので、矛盾削除する。また、Ａ３Ｒ、Ｂ４Ｒなどの所定用紙サイズ以外の場合にも、ステープル指示を削除する。
【００５４】
図４の（ｂ）は、ステープル指示を「右上斜め」とした場合である。この場合は、ステープル・パンチユニット２０の移動範囲外となるから、ステープルすることができない。また、画像を１８０°反転した場合でも、ステープルすることができない。このため、ステープル指示を削除する。さらに、両面印刷で左綴じすべきである場合に、「右上斜め」のステープル指示は矛盾した指示となるので、矛盾削除する。また、Ａ３Ｒ、Ｂ４Ｒなどの所定用紙サイズ以外の場合にも、ステープル指示を削除する。
【００５５】
図４の（ｃ）は、ステープル指示を「左横２つ」とした場合である。この場合は、ステープル・パンチユニット２０の移動範囲Ｍ内であるから、ステープルすることができる。一方、両面印刷で上綴じおよび右綴じすべきである場合に、「左横２つ」のステープル指示は矛盾した指示となるので、矛盾削除する。また、Ａ３Ｒ、Ｂ４Ｒなどの所定用紙サイズ以外の場合にも、ステープル指示を削除する。
【００５６】
図４の（ｄ）は、ステープル指示を「上２つ」とした場合である。この場合は、ステープル・パンチユニット２０の移動範囲外となるから、ステープルすることができない。また、画像を１８０°反転した場合でも、ステープルすることができない。このため、ステープル指示を削除する。さらに、両面印刷で右綴じおよび左綴じすべきである場合に、「上２つ」のステープル指示は矛盾した指示となるので、矛盾削除する。また、Ａ３Ｒ、Ｂ４Ｒなどの所定用紙サイズ以外の場合にも、ステープル指示を削除する。
【００５７】
図４の（ｅ）は、ステープル指示を「右横２つ」とした場合である。この場合は、ステープル・パンチユニット２０の移動範囲外となるが、画像を１８０°反転すれば、ステープルすることができる。従って、画像を１８０°回転して用紙Ｐに写し、排紙する。一方、両面印刷で上綴じおよび左綴じすべきである場合に、「右横２つ」のステープル指示は矛盾した指示となるので、矛盾削除する。また、Ａ３Ｒ、Ｂ４Ｒなどの所定用紙サイズ以外の場合にも、ステープル指示を削除する。
【００５８】
図４の（ｆ）は、ステープル指示を「左上垂直」とした場合である。この場合は、ステープル・パンチユニット２０の移動範囲Ｍ内であるから、ステープルすることができる。一方、両面印刷で右綴じすべきである場合に、「左上垂直」のステープル指示は矛盾した指示となるので、矛盾削除する。また、Ａ３Ｒ、Ｂ４Ｒなどの所定用紙サイズ以外の場合にも、ステープル指示を削除する。
【００５９】
図４の（ｇ）は、ステープル指示を「右上垂直」とした場合である。この場合は、ステープル・パンチユニット２０の移動範囲外となるが、画像を１８０°反転すれば、ステープルすることができる。従って、画像を１８０°回転して用紙Ｐに写し、排紙する。一方、両面印刷で左綴じすべきである場合に、「右上垂直」のステープル指示は矛盾した指示となるので、矛盾削除する。また、Ａ３Ｒ、Ｂ４Ｒなどの所定用紙サイズ以外の場合にも、ステープル指示を削除する。
【００６０】
図５の（ａ）は、ステープル指示を「左上斜め」とした場合である。この場合は、ステープル・パンチユニット２０の移動範囲Ｍ内であるから、ステープルすることができる。一方、両面印刷で右綴じすべきである場合に、「左上斜め」のステープル指示は矛盾した指示となるので、矛盾削除する。また、Ａ４、Ｂ５などの所定用紙サイズ以外の場合にも、ステープル指示を削除する。
【００６１】
図５の（ｂ）は、ステープル指示を「右上斜め」とした場合である。この場合は、ステープル・パンチユニット２０の移動範囲外となるから、ステープルすることができない。また、画像を１８０°反転した場合でも、ステープルすることができない。このため、ステープル指示を削除する。さらに、両面印刷で左綴じすべきである場合に、「右上斜め」のステープル指示は矛盾した指示となるので、矛盾削除する。また、Ａ４、Ｂ５などの所定用紙サイズ以外の場合にも、ステープル指示を削除する。
【００６２】
図５の（ｃ）は、ステープル指示を「左横２つ」とした場合である。この場合は、ステープル・パンチユニット２０の移動範囲Ｍ内であるから、ステープルすることができる。一方、両面印刷で上綴じおよび右綴じすべきである場合に、「左横２つ」のステープル指示は矛盾した指示となるので、矛盾削除する。また、Ａ３、Ｂ５などの所定用紙サイズ以外の場合にも、ステープル指示を削除する。
【００６３】
図５の（ｄ）は、ステープル指示を「上２つ」とした場合である。この場合は、ステープル・パンチユニット２０の移動範囲外となるから、ステープルすることができない。また、画像を１８０°反転した場合でも、ステープルすることができない。このため、ステープル指示を削除する。さらに、両面印刷で右綴じおよび左綴じすべきである場合に、「上２つ」のステープル指示は矛盾した指示となるので、矛盾削除する。また、Ａ４、Ｂ５などの所定用紙サイズ以外の場合にも、ステープル指示を削除する。
【００６４】
図５の（ｅ）は、ステープル指示を「右横２つ」とした場合である。この場合は、ステープル・パンチユニット２０の移動範囲外となるが、画像を１８０°反転すれば、ステープルすることができる。従って、画像を１８０°回転して用紙Ｐに写し、排紙する。一方、両面印刷で上綴じおよび左綴じすべきである場合に、「右横２つ」のステープル指示は矛盾した指示となるので、矛盾削除する。また、Ａ４、Ｂ５などの所定用紙サイズ以外の場合にも、ステープル指示を削除する。
【００６５】
図５の（ｆ）は、ステープル指示を「左上垂直」とした場合である。この場合は、ステープル・パンチユニット２０の移動範囲Ｍ内であるから、ステープルすることができる。一方、両面印刷で右綴じすべきである場合に、「左上垂直」のステープル指示は矛盾した指示となるので、矛盾削除する。また、Ａ４、Ｂ５などの所定用紙サイズ以外の場合にも、ステープル指示を削除する。
【００６６】
図５の（ｇ）は、ステープル指示を「右上垂直」とした場合である。この場合は、ステープル・パンチユニット２０の移動範囲外となるが、画像を１８０°反転すれば、ステープルすることができる。従って、画像を１８０°回転して用紙Ｐに写し、排紙する。一方、両面印刷で左綴じすべきである場合に、「右上垂直」のステープル指示は矛盾した指示となるので、矛盾削除する。また、Ａ４、Ｂ５などの所定用紙サイズ以外の場合にも、ステープル指示を削除する。
【００６７】
図６の（ａ）は、ステープル指示を「左上斜め」とした場合である。この場合は、ステープル・パンチユニット２０の移動範囲外となるから、ステープルすることができない。また、画像を１８０°反転した場合でも、ステープルすることができない。このため、ステープル指示を削除する。さらに、両面印刷で右綴じすべきである場合に、「左上斜め」のステープル指示は矛盾した指示となるので、矛盾削除する。また、Ａ４、Ｂ５などの所定用紙サイズ以外の場合にも、ステープル指示を削除する。
【００６８】
図６の（ｂ）は、ステープル指示を「右上斜め」とした場合である。この場合は、ステープル・パンチユニット２０の移動範囲外であるが、画像を１８０°反転すれば、ステープルすることができる。従って、画像を１８０°回転して用紙Ｐに写し、排紙する。一方、両面印刷で左綴じすべきである場合に、「右上斜め」のステープル指示は矛盾した指示となるので、矛盾削除する。また、Ａ４、Ｂ５などの所定用紙サイズ以外の場合にも、ステープル指示を削除する。
【００６９】
図６の（ｃ）は、ステープル指示を「左横２つ」とした場合である。この場合は、ステープル・パンチユニット２０の移動範囲外となるから、ステープルすることができない。また、画像を１８０°反転した場合でも、ステープルすることができない。このため、ステープル指示を削除する。さらに、両面印刷で上綴じおよび右綴じすべきである場合に、「左横２つ」のステープル指示は矛盾した指示となるので、矛盾削除する。また、Ａ４、Ｂ５などの所定用紙サイズ以外の場合にも、ステープル指示を削除する。
【００７０】
図６の（ｄ）は、ステープル指示を「上２つ」とした場合である。この場合は、ステープル・パンチユニット２０の移動範囲外であるが、画像を１８０°反転すれば、ステープルすることができる。従って、画像を１８０°回転して用紙Ｐに写し、排紙する。一方、両面印刷で左綴じおよび右綴じすべきである場合に、「上２つ」のステープル指示は矛盾した指示となるので、矛盾削除する。また、Ａ４、Ｂ５などの所定用紙サイズ以外の場合にも、ステープル指示を削除する。
【００７１】
図６の（ｅ）は、ステープル指示を「右横２つ」とした場合である。この場合は、ステープル・パンチユニット２０の移動範囲外となるから、ステープルすることができない。また、画像を１８０°反転した場合でも、ステープルすることができない。このため、ステープル指示を削除する。さらに、両面印刷で上綴じおよび左綴じすべきである場合に、「右横２つ」のステープル指示は矛盾した指示となるので、矛盾削除する。また、Ａ４、Ｂ５などの所定用紙サイズ以外の場合にも、ステープル指示を削除する。
【００７２】
図６の（ｆ）は、ステープル指示を「左上水平」とした場合である。この場合は、ステープル・パンチユニット２０の移動範囲外であるが、画像を１８０°反転すれば、ステープルすることができる。従って、画像を１８０°回転して用紙Ｐに写し、排紙する。一方、両面印刷で右綴じすべきである場合に、「左上水平」のステープル指示は矛盾した指示となるので、矛盾削除する。また、Ａ４、Ｂ５などの所定用紙サイズ以外の場合にも、ステープル指示を削除する。
【００７３】
図６の（ｇ）は、ステープル指示を「右上水平」とした場合である。この場合は、ステープル・パンチユニット２０の移動範囲外であるが、画像を１８０°反転すれば、ステープルすることができる。従って、画像を１８０°回転して用紙Ｐに写し、排紙する。一方、両面印刷で左綴じすべきである場合に、「右上水平」のステープル指示は矛盾した指示となるので、矛盾削除する。また、Ａ４、Ｂ５などの所定用紙サイズ以外の場合にも、ステープル指示を削除する。
【００７４】
以上のようにしてステープル指示を削除するか否かを決定する。図２に戻り、ステップＳ２０６では、ＲＡＭ上に展開した画像データを用紙Ｐ上に写し、その用紙Ｐを排紙トレイに排紙する。ステップＳ２０７では、ステープル指示に従い、用紙Ｐにステープルを施す。ステープル指示が削除（矛盾削除を含む）されている場合には、ステープルを施さないまま、印刷を続行する。
【００７５】
このため、印刷の作業効率が向上する。また、矛盾するステープルを施さないので、やり直しなどの余計な手間がかからい。さらに、画像を１８０°回転させてステープルを施すようにしたので、ステープルできる場合が増えて、作業効率がよくなる。
【００７６】
〔パンチ指示の削除〕
つぎに、パンチ指示が与えられている場合について、説明する。判断要素は、上記のステープルの場合と略同様であるが、通常、パンチは用紙Ｐの上、左または右のいずれかに「２つ」穴をあけるものであるから、図３〜図６のうち、「左２つ」、「右２つ」、「上２つ」の場合について判断するものとする。
【００７７】
図３の（ｃ）は、パンチ指示を「左横２つ」とした場合である。この場合は、ステープル・パンチユニット２０の移動範囲外となるから、パンチすることができない。また、画像を１８０°反転した場合でも、パンチすることができない。このため、パンチ指示を削除する。さらに、両面印刷で上穿孔および右穿孔すべきである場合に、「左横２つ」のパンチ指示は矛盾した指示となるので、矛盾削除する。また、Ａ３Ｒ、Ｂ４Ｒなどの所定用紙サイズ以外の場合にも、スパンチ指示を削除する。
【００７８】
図３の（ｄ）は、パンチ指示を「上２つ」とした場合である。この場合は、ステープル・パンチユニット２０の移動範囲外であるが、画像を１８０°反転すれば、パンチすることができる。従って、画像を１８０°回転して用紙Ｐに写し、排紙する。一方、両面印刷で左穿孔および右穿孔すべきである場合に、「上２つ」のパンチ指示は矛盾した指示となるので、矛盾削除する。また、Ａ３Ｒ、Ｂ４Ｒなどの所定用紙サイズ以外の場合にも、パンチ指示を削除する。
【００７９】
図３の（ｅ）は、パンチ指示を「右横２つ」とした場合である。この場合は、ステープル・パンチユニット２０の移動範囲外となるから、パンチすることができない。また、画像を１８０°反転した場合でも、パンチすることができない。このため、パンチ指示を削除する。さらに、両面印刷で上穿孔および左穿孔すべきである場合に、「右横２つ」のパンチ指示は矛盾した指示となるので、矛盾削除する。また、Ａ３Ｒ、Ｂ４Ｒなどの所定用紙サイズ以外の場合にも、パンチ指示を削除する。
【００８０】
図４の（ｃ）は、パンチ指示を「左横２つ」とした場合である。この場合は、ステープル・パンチユニット２０の移動範囲Ｍ内であるから、パンチすることができる。一方、両面印刷で上穿孔および右穿孔すべきである場合に、「左横２つ」のパンチ指示は矛盾した指示となるので、矛盾削除する。また、Ａ３Ｒ、Ｂ４Ｒなどの所定用紙サイズ以外の場合にも、パンチ指示を削除する。
【００８１】
図４の（ｄ）は、パンチ指示を「上２つ」とした場合である。この場合は、ステープル・パンチユニット２０の移動範囲外となるから、パンチすることができない。また、画像を１８０°反転した場合でも、パンチすることができない。このため、パンチ指示を削除する。さらに、両面印刷で右穿孔および左穿孔すべきである場合に、「上２つ」のパンチ指示は矛盾した指示となるので、矛盾削除する。また、Ａ３Ｒ、Ｂ４Ｒなどの所定用紙サイズ以外の場合にも、パンチ指示を削除する。
【００８２】
図４の（ｅ）は、パンチ指示を「右横２つ」とした場合である。この場合は、ステープル・パンチユニット２０の移動範囲外となるが、画像を１８０°反転すれば、パンチすることができる。従って、画像を１８０°回転して用紙Ｐに写し、排紙する。一方、両面印刷で上穿孔および左穿孔すべきである場合に、「右横２つ」のパンチ指示は矛盾した指示となるので、矛盾削除する。また、Ａ３Ｒ、Ｂ４Ｒなどの所定用紙サイズ以外の場合にも、パンチ指示を削除する。
【００８３】
図５の（ｃ）は、パンチ指示を「左横２つ」とした場合である。この場合は、ステープル・パンチユニット２０の移動範囲Ｍ内であるから、パンチすることができる。一方、両面印刷で上穿孔および右穿孔すべきである場合に、「左横２つ」のパンチ指示は矛盾した指示となるので、矛盾削除する。また、Ａ３、Ｂ５などの所定用紙サイズ以外の場合にも、パンチ指示を削除する。
【００８４】
図５の（ｄ）は、パンチ指示を「上２つ」とした場合である。この場合は、ステープル・パンチユニット２０の移動範囲外となるから、パンチすることができない。また、画像を１８０°反転した場合でも、パンチすることができない。このため、パンチ指示を削除する。さらに、両面印刷で右穿孔および左穿孔すべきである場合に、「上２つ」のパンチ指示は矛盾した指示となるので、矛盾削除する。また、Ａ４、Ｂ５などの所定用紙サイズ以外の場合にも、パンチ指示を削除する。
【００８５】
図５の（ｅ）は、パンチ指示を「右横２つ」とした場合である。この場合は、ステープル・パンチユニット２０の移動範囲外となるが、画像を１８０°反転すれば、パンチすることができる。従って、画像を１８０°回転して用紙Ｐに写し、排紙する。一方、両面印刷で上穿孔および左穿孔すべきである場合に、「右横２つ」のパンチ指示は矛盾した指示となるので、矛盾削除する。また、Ａ４、Ｂ５などの所定用紙サイズ以外の場合にも、パンチ指示を削除する。
【００８６】
図６の（ｃ）は、パンチ指示を「左横２つ」とした場合である。この場合は、ステープル・パンチユニット２０の移動範囲外となるから、パンチすることができない。また、画像を１８０°反転した場合でも、パンチすることができない。このため、パンチ指示を削除する。さらに、両面印刷で上穿孔および右穿孔すべきである場合に、「左横２つ」のパンチ指示は矛盾した指示となるので、矛盾削除する。また、Ａ４、Ｂ５などの所定用紙サイズ以外の場合にも、パンチ指示を削除する。
【００８７】
図６の（ｄ）は、パンチ指示を「上２つ」とした場合である。この場合は、ステープル・パンチユニット２０の移動範囲外であるが、画像を１８０°反転すれば、パンチすることができる。従って、画像を１８０°回転して用紙Ｐに写し、排紙する。一方、両面印刷で左穿孔および右穿孔すべきである場合に、「上２つ」のパンチ指示は矛盾した指示となるので、矛盾削除する。また、Ａ４、Ｂ５などの所定用紙サイズ以外の場合にも、パンチ指示を削除する。
【００８８】
図６の（ｅ）は、パンチ指示を「右横２つ」とした場合である。この場合は、ステープル・パンチユニット２０の移動範囲外となるから、パンチすることができない。また、画像を１８０°反転した場合でも、パンチすることができない。このため、パンチ指示を削除する。さらに、両面印刷で上綴じおよび左綴じすべきである場合に、「右横２つ」のパンチ指示は矛盾した指示となるので、矛盾削除する。また、Ａ４、Ｂ５などの所定用紙サイズ以外の場合にも、パンチ指示を削除する。
【００８９】
以上のようにしてパンチ指示を削除するか否かを決定する。図２に戻る。ステップＳ２０６では、ＲＡＭ上に展開した画像データを用紙Ｐ上に写し、その用紙Ｐを排紙トレイに排紙する。ステップＳ２０７では、パンチ指示に従い、用紙Ｐにパンチを施す。パンチ指示が削除（矛盾削除を含む）されている場合には、パンチを施さない。
【００９０】
このため、印刷の作業効率が向上する。また、矛盾するパンチを施さないので、やり直しなどの余計な手間がかからい。さらに、画像を１８０°回転させてパンチを施すようにしたので、パンチできる場合が増えて、作業効率がよくなる。
【００９１】
〔ステープル指示とパンチ指示との組合せ〕
つぎに、ステープル指示とパンチ指示とが同時にされた場合について説明する。特定のステープル指示に対して許容されるパンチ指示のパラメータを、図３〜図６の下欄かっこ内に示す。
【００９２】
図３の（ｂ）では、ステープルを「右上斜め」とするから、パンチ位置は、ステープルの綴じ方向に対応する位置とする。この場合のパンチパターンは、「上２つ」にする。これ以外のパターンのパンチ指示がされているときには、そのパンチ指示を削除する。なお、図下欄での「削除」の表示は省略する。
【００９３】
図３の（ｄ）では、ステープルを「上２つ」とするから、パンチ位置は、ステープルの綴じ方向に対応する位置とする。この場合のパンチパターンは、「上２つ」にする。これ以外のパターンのパンチ指示がされているときには、そのパンチ指示を削除する。
【００９４】
図３の（ｆ）では、ステープルを「左上水平」とするから、パンチ位置は、ステープルの綴じ方向に対応する位置とする。この場合のパンチパターンは、「上２つ」にする。これ以外のパターンのパンチ指示がされているときには、そのパンチ指示を削除する。
【００９５】
図３の（ｇ）では、ステープルを「右上水平」とするから、パンチ位置は、ステープルの綴じ方向に対応する位置とする。この場合のパンチパターンは、「上２つ」にする。これ以外のパターンのパンチ指示がされているときには、そのパンチ指示を削除する。
【００９６】
図４の（ａ）では、ステープルを「左上斜め」とするから、パンチ位置は、ステープルの綴じ方向に対応する位置とする。この場合のパンチパターンは、「左横２つ」にする。これ以外のパターンのパンチ指示がされているときには、そのパンチ指示を削除する。なお、図下欄での「削除」の表示は省略する。
【００９７】
図４の（ｃ）では、ステープルを「左２つ」とするから、パンチ位置は、ステープルの綴じ方向に対応する位置とする。この場合のパンチパターンは、「左横２つ」にする。これ以外のパターンのパンチ指示がされているときには、そのパンチ指示を削除する。
【００９８】
図４の（ｅ）では、ステープルを「右２つ」とするから、パンチ位置は、ステープルの綴じ方向に対応する位置とする。この場合のパンチパターンは、「右横２つ」にする。これ以外のパターンのパンチ指示がされているときには、そのパンチ指示を削除する。
【００９９】
図４の（ｆ）では、ステープルを「左上垂直」とするから、パンチ位置は、ステープルの綴じ方向に対応する位置とする。この場合のパンチパターンは、「右横２つ」にする。これ以外のパターンのパンチ指示がされているときには、そのパンチ指示を削除する。
【０１００】
図４の（ｇ）では、ステープルを「右上垂直」とするから、パンチ位置は、ステープルの綴じ方向に対応する位置とする。この場合のパンチパターンは、「右横２つ」にする。これ以外のパターンのパンチ指示がされているときには、そのパンチ指示を削除する。
【０１０１】
図５の（ａ）では、ステープルを「左上斜め」とするから、パンチ位置は、ステープルの綴じ方向に対応する位置とする。この場合のパンチパターンは、「左横２つ」にする。これ以外のパターンのパンチ指示がされているときには、そのパンチ指示を削除する。
【０１０２】
図５の（ｃ）では、ステープルを「左横２つ」とするから、パンチ位置は、ステープルの綴じ方向に対応する位置とする。この場合のパンチパターンは、「左横２つ」にする。これ以外のパターンのパンチ指示がされているときには、そのパンチ指示を削除する。
【０１０３】
図５の（ｅ）では、ステープルを「右横２つ」とするから、パンチ位置は、ステープルの綴じ方向に対応する位置とする。この場合のパンチパターンは、「右横２つ」にする。これ以外のパターンのパンチ指示がされているときには、そのパンチ指示を削除する。
【０１０４】
図５の（ｆ）では、ステープルを「左上垂直」とするから、パンチ位置は、ステープルの綴じ方向に対応する位置とする。この場合のパンチパターンは、「左横垂直」にする。これ以外のパターンのパンチ指示がされているときには、そのパンチ指示を削除する。
【０１０５】
図５の（ｇ）では、ステープルを「右上垂直」とするから、パンチ位置は、ステープルの綴じ方向に対応する位置とする。この場合のパンチパターンは、「上２つ」にする。これ以外のパターンのパンチ指示がされているときには、そのパンチ指示を削除する。
【０１０６】
図６の（ｂ）では、ステープルを「右上斜め」とするから、パンチ位置は、ステープルの綴じ方向に対応する位置とする。この場合のパンチパターンは、「上２つ」にする。これ以外のパターンのパンチ指示がされているときには、そのパンチ指示を削除する。なお、図下欄での「削除」の表示は省略する。
【０１０７】
図６の（ｄ）では、ステープルを「上２つ」とするから、パンチ位置は、ステープルの綴じ方向に対応する位置とする。この場合のパンチパターンは、「上２つ」にする。これ以外のパターンのパンチ指示がされているときには、そのパンチ指示を削除する。
【０１０８】
図６の（ｆ）では、ステープルを「左上水平」とするから、パンチ位置は、ステープルの綴じ方向に対応する位置とする。この場合のパンチパターンは、「上２つ」にする。これ以外のパターンのパンチ指示がされているときには、そのパンチ指示を削除する。
【０１０９】
図６の（ｇ）では、ステープルを「右上水平」とするから、パンチ位置は、ステープルの綴じ方向に対応する位置とする。この場合のパンチパターンは、「上２つ」にする。これ以外のパターンのパンチ指示がされているときには、そのパンチ指示を削除する。
【０１１０】
以上、ステープル指示とパンチ指示とが同時にされた場合に許容される組合せを示し、両者が矛盾する場合にはパンチ指示を削除するようにした。このため、不適正なパンチを防止できる。なお、この場合においても、ステープルおよびパンチの可否判断は、上記同様の判断基準をもって行う。従って、許容される組合せであっても、実際にステープルまたはパンチが施されるとは限らない。
【０１１１】
【発明の効果】
以上説明したように、この発明の画像形成装置（請求項１）では、用紙のステープル位置が、ステープル手段の移動範囲内であるか否かを判断し、移動範囲内でないと判断された場合、そのステープル指示を削除するようにした。このため、印刷処理を進めることができるから、作業効率が向上する。
【０１１２】
また、この発明の画像形成装置（請求項２）では、ステープル指示に、ステープル手段の移動範囲内であるか否かを判断し、移動範囲内でないと判断された場合、印刷コマンドデータから、そのステープル指示のみを削除するようにした。このため、印刷指示が適正化されて、ステープルをしない状態で印刷を続行できるようになり、作業効率が向上する。
【０１１３】
また、この発明の画像形成装置（請求項３）では、ステープル位置が、ステープル手段の移動範囲内であるか否かの判断を、少なくとも、印刷方向、ステープル位置、ステープルパターン、紙サイズの情報に基づいて行うようにした。このため、ステープルの可否をより詳細に判断できる。
【０１１４】
また、この発明の画像形成装置（請求項４）では、両面に画像が写される用紙にステープルを施す場合において、当該用紙に適したステープル位置とステープル位置指示手段で指示されたステープル位置とが矛盾するとき、ステープル指示を削除するようにした。このため、ステープルを適切に施すことができる。また、ステープルミスがなくなり、作業効率が向上する。
【０１１５】
また、この発明の画像形成装置（請求項５）では、ステープル指示手段で指示したステープル位置が移動範囲内でない場合に、画像を回転させることにより、ステープル位置を移動範囲内とする画像回転手段をさらに備ることで、用紙にステープルを施すようにした。このようにすれば、ステープル手段の移動を伴わず、用紙の多くの位置にステープルを施すことができるようになる。また、短時間でステープルを施せるので、作業効率が向上する。
【０１１６】
また、この発明の画像形成装置（請求項６）では、用紙のパンチ位置が、パンチ手段の移動範囲内であるか否かを判断し、移動範囲内でないと判断された場合、そのパンチ指示を削除するようにした。このため、印刷処理を進めることができるから、作業効率が向上する。
【０１１７】
また、この発明の画像形成装置（請求項７）では、パンチ指示に含まれるパンチ位置が、パンチ手段の移動範囲内であるか否かを判断し、移動範囲内でないと判断された場合、印刷コマンドデータから、そのパンチ指示のみを削除するようにした。このため、印刷指示が適正化されて、パンチをしない状態で印刷を続行できるようになり、作業効率が向上する。
【０１１８】
また、この発明の画像形成装置（請求項８）では、パンチ位置が、パンチ手段の移動範囲内であるか否かの判断を、少なくとも、印刷方向、ステープル位置、パンチパターン、紙サイズの情報に基づいて行うようにした。このため、パンチの可否をより詳細に判断できる。
【０１１９】
また、この発明の画像形成装置（請求項９）では、両面に画像が写される用紙にパンチを施す場合において、当該用紙に適したパンチ位置とパンチ位置指示手段で指示されたパンチ位置とが矛盾するとき、前記パンチ指示を削除するようにした。このため、パンチを適切に施すことができる。また、パンチミスがなくなり、作業効率が向上する。特に、不適切なパンチを防止することで、用紙の無駄を防止できるようになる。
【０１２０】
また、この発明の画像形成装置（請求項１０）では、パンチ指示手段で指示したパンチ位置が移動範囲内でない場合に、画像を回転させることにより、パンチ位置を移動範囲内とする画像回転手段をさらに備ることで、用紙にパンチを施すようにした。このようにすれば、パンチ手段の移動を伴わず、用紙の多くの位置にパンチを施すことができるようになる。また、短時間でパンチを施せるので、作業効率が向上する。
【０１２１】
また、この発明の画像形成装置（請求項１１）では、ステープル指示とパンチ指示とが指示された場合に、パンチ位置指示手段で指示されたパンチ位置が、パンチ手段の移動範囲内でないとき、または、ステープル位置に対するパンチ位置が適当でないとき、前記パンチ指示を削除するようにした。このため、適切なステープルおよびパンチを施すことができる。特に、不適切なパンチを防止できるので、用紙の無駄を防止できる。
【図面の簡単な説明】
【図１】この発明のフィニッシャ機能を有する画像形成装置の構成を示すブロック図である。
【図２】図１に示した画像形成装置の動作を示すフローチャートである。
【図３】ステープルまたはパンチの可否についての判断基準を示す図表である。
【図４】ステープルまたはパンチの可否についての判断基準を示す図表である。
【図５】ステープルまたはパンチの可否についての判断基準を示す図表である。
【図６】ステープルまたはパンチの可否についての判断基準を示す図表である。
【図７】ステープル位置およびパンチ位置の割り付けを示す説明図である。
【図８】従来のフィニッシャ機能を有する画像形成装置の構成を示すブロック図である。
【図９】図８に示したフィニッシャ部の構造を示す概略説明図である。
【図１０】ステープルおよびパンチを施し得る位置を示す説明図である。
【図１１】ホストコンピュータの画面上に表示される一般的なステープル指示、パンチ指示のボックスを示す説明図である。
【図１２】ステープルおよびパンチのパターンを例示したパターン図である。
【図１３】ステープルが可能な場合と不可能な場合とを例示した説明図である。
【符号の説明】
１００  画像形成装置
１  画像形成部
１１  制御部
１２  画像作成部
１３  作像部
１１１  ステープル指示削除部
１１２  パンチ指示削除部
１１３  画像回転部
２  フィニッシャ部
２０  ステープル・パンチユニット
２１  排紙トレイ
２２  ステープル部
２３  パンチ部
Ｍ  ステープル・パンチユニットの移動範囲
【図１】
0003766164.tif 000002
【図２】
0003766164.tif 000003
【図３】
0003766164.tif 000004
【図４】
0003766164.tif 000005
【図５】
0003766164.tif 000006
【図６】
0003766164.tif 000007
【図７】
0003766164.tif 000008
【図８】
0003766164.tif 000009
【図９】
0003766164.tif 000010
【図１０】
0003766164.tif 000011
【図１１】
0003766164.tif 000012
【図１２】
0003766164.tif 000013
【図１３】
0003766164.tif 000014